(57)【要約】【課題】印刷されたアナログ画像を正確に再ディジタル化することが可能なアナログ画像再ディジタル化方法及びアナログ画像再ディジタル化装置を提供する。【解決手段】入力されたディジタルデータを保持し（Ｓ２０１）、保持したディジタルデータの印刷媒体への印刷制御を行い（Ｓ２０３）、印刷制御によって印刷媒体に印刷されたアナログ画像のディジタル変換後のディジタル画像を取得し（Ｓ２０４）、保持しているディジタルデータの印刷イメージ画像を生成し（Ｓ２０５）、生成した印刷イメージ画像とディジタル画像とを比較し（Ｓ２０６）、比較の結果、両者が一致した場合に、保持しているディジタルデータを出力する（Ｓ２０８）。【選択図】  図２
2004199263.tif 000002
【特許請求の範囲】
【請求項１】
入力されたディジタルデータを保持する保持工程と、
前記保持したディジタルデータの印刷媒体への印刷制御を行う印刷制御工程と、
前記印刷制御によって前記印刷媒体に印刷されたアナログ画像のディジタル変換後のディジタル画像を取得する取得工程と、
前記保持しているディジタルデータの印刷イメージ画像を生成する生成工程と、
前記生成した印刷イメージ画像と前記ディジタル画像とを比較する比較工程と、
前記比較の結果、両者が一致した場合に、前記保持しているディジタルデータを出力する出力工程とを具備するアナログ画像再ディジタル化方法。
【請求項２】
請求項１記載のアナログ画像再ディジタル化方法であって、
前記比較の結果、両者が一致しない場合に、両者の差分画像を抽出する差分画像抽出工程と、
前記印刷イメージ画像に前記抽出した差分画像を合成する合成工程を具備し、
前記出力工程では、前記合成工程で合成された後の印刷イメージ画像を生成するためのディジタルデータを出力するアナログ画像再ディジタル化方法。
【請求項３】
入力されたディジタルデータに前記ディジタルデータを識別するための識別データを付加して保持する保持工程と、
前記識別データが付加されたディジタルデータの印刷媒体への印刷制御を行う印刷制御工程と、
前記印刷制御によって前記印刷媒体に印刷されたアナログ画像のディジタル変換後のディジタル画像を取得する取得工程と、
前記取得したディジタル画像に含まれる、前記識別データに対応するディジタル画像を検出する検出工程と、
前記検出したディジタル画像を生成するための識別データが付加されているディジタルデータを特定する特定工程と、
前記保持しているディジタルデータの中から、前記特定したディジタルデータを選択して取得する特定データ取得工程と、
前記取得したディジタルデータを出力する出力工程とを具備するアナログ画像再ディジタル化方法。
【請求項４】
請求項３記載のアナログ画像再ディジタル化方法であって、
前記特定データ取得工程により取得したディジタルデータの印刷イメージ画像を生成する生成工程と、
前記生成した印刷イメージ画像と前記取得工程によって取得したディジタル画像とを比較する比較工程と、
前記比較の結果、両者が一致しない場合に、両者の差分画像を抽出する差分画像抽出工程と、
前記印刷イメージ画像に前記抽出した差分画像を合成する合成工程とを具備し、
前記出力工程では、前記合成工程で合成後の印刷イメージ画像を生成するためのディジタルデータを出力するアナログ画像再ディジタル化方法。
【請求項５】
入力されたディジタルデータを保持する保持手段と、
前記保持したディジタルデータの印刷媒体への印刷制御を行う印刷制御手段と、
前記印刷制御によって前記印刷媒体に印刷されたアナログ画像のディジタル変換後のディジタル画像を取得する取得手段と、
前記ディジタルデータの印刷イメージ画像を生成する生成手段と、
前記生成した印刷イメージ画像と前記ディジタル画像とを比較する比較手段と、
前記比較の結果、両者が一致した場合に、前記保持しているディジタルデータを出力する出力手段とを具備するアナログ画像再ディジタル化装置。
【請求項６】
請求項５記載のアナログ画像再ディジタル化装置であって、
前記比較手段による比較の結果、両者が一致しない場合に、両者の差分画像を抽出する差分画像抽出手段と、
前記印刷イメージ画像に前記抽出した差分画像を合成する合成手段とを具備し、
前記出力手段は、前記合成手段による合成後の印刷イメージ画像を生成するためのディジタルデータを出力するアナログ画像再ディジタル化装置。
【請求項７】
入力されたディジタルデータに前記ディジタルデータを識別するための識別データを付加して保持する保持手段と、
前記識別データが付加されたディジタルデータの印刷媒体への印刷制御を行う印刷制御手段と、
前記印刷制御によって前記印刷媒体に印刷されたアナログ画像のディジタル変換後のディジタル画像を取得する取得手段と、
前記取得したディジタル画像に含まれる、前記識別データに対応するディジタル画像を検出する検出手段と、
前記検出したディジタル画像を生成するための識別データが付加されているディジタルデータを特定する特定手段と、
前記保持手段により保持しているディジタルデータの中から、前記特定したディジタルデータを選択して取得する特定データ取得手段と、
前記特定データ取得手段により取得したディジタルデータを出力する出力手段とを具備するアナログ画像再ディジタル化装置。
【請求項８】
請求項７記載のアナログ画像再ディジタル化装置であって、
前記特定データ取得手段により取得したディジタルデータの印刷イメージ画像を生成する生成手段と、
前記生成した印刷イメージ画像と前記取得手段により取得したディジタル画像とを比較する比較手段と、
前記比較の結果、両者が一致しない場合に、両者の差分画像を抽出する差分画像抽出手段と、
前記印刷イメージ画像に前記抽出した差分画像を合成する合成手段とを具備し、
前記出力手段は、前記合成手段による合成後の印刷イメージ画像を生成するためのディジタルデータを出力するアナログ画像再ディジタル化装置。
【発明の詳細な説明】
【０００１】
【発明の属する技術分野】
本発明は、紙等の印刷媒体に印刷されたアナログ画像をディジタルデータに再変換する方法及び装置に関する。
【０００２】
【従来の技術】
従来は、第１の方法として、コンピュータ等で作成したディジタル文書データ（以下、ディジタル文書という）をプリンタで出力する等して、紙等に印刷した文書（以下、アナログ文書という）を、再度ディジタル文書としてコンピュータで編集加工等を行いたい場合、印刷したアナログ文書を人間が目視で参照しながら、手作業で文書の入力を行うことで、ディジタル文書を作成している。
【０００３】
又、第２の方法として、画像スキャナ等を用いて、アナログ文書をディジタル画像として取り込み、文字認識技術等を用いて、取り込んだディジタル画像から自動的にディジタル文書を再構成する方法もある。
【０００４】
又、第３の方法として、ディジタル文書情報を含むアナログ文書を印刷し、画像スキャナ等を用いてそのアナログ文書をディジタル画像として取りこんだ後に、ディジタル文書情報を含んだ場所の認識を行い、認識したディジタル文書情報に基づいて、ディジタル文書を再構成する方法がある(例えば、特許文献１参照)。
【０００５】
【特許文献１】
特開２０００−３４１４９８号公報
【０００６】
【発明が解決しようとする課題】
しかしながら、上記の従来の第１の方法は、アナログ文書を目視で参照しながら手作業でディジタル文書として再入力を行う為に、人的及び時間的コストがかかるという問題がある。
【０００７】
又、上記第２の方法では、文字認識の成功率が１００％とは言い切れないことから、一部の文字について文字化けが発生するという問題がある。
【０００８】
又、上記第３の方法では、ディジタル文書情報を全て含んだアナログ文書を作成しなければならない為、非常に大きな情報が付加されたアナログ文書が作成され、見栄えが悪くなるという問題もある。又、ディジタル文書情報の情報量が多い為、その情報の読み込みの際に、誤認識する確率も高くなってしまう。
【０００９】
本発明は、係る点に鑑みてなされたものであり、印刷されたアナログ画像を正確に再ディジタル化することが可能なアナログ画像再ディジタル化方法及びアナログ画像再ディジタル化装置を提供することを目的とする。
【００１０】
【課題を解決するための手段】
本発明のアナログ画像再ディジタル化方法は、入力されたディジタルデータを保持する保持工程と、前記保持したディジタルデータの印刷媒体への印刷制御を行う印刷制御工程と、前記印刷制御によって前記印刷媒体に印刷されたアナログ画像のディジタル変換後のディジタル画像を取得する取得工程と、前記保持しているディジタルデータの印刷イメージ画像を生成する生成工程と、前記生成した印刷イメージ画像と前記ディジタル画像とを比較する比較工程と、前記比較の結果、両者が一致した場合に、前記保持しているディジタルデータを出力する出力工程とを具備する。
【００１１】
この方法により、印刷されたアナログ画像から、そのアナログ画像を印刷するのに用いたディジタルデータと同一のデータを出力させることができる。このため、印刷されたアナログ画像の再ディジタル化を効率良く且つ高精度に行うことが可能となる。
【００１２】
又、本発明のアナログ画像再ディジタル化方法は、前記比較の結果、両者が一致しない場合に、両者の差分画像を抽出する差分画像抽出工程と、前記印刷イメージ画像に前記抽出した差分画像を合成する合成工程を具備し、前記出力工程では、前記合成工程で合成された後の印刷イメージ画像を生成するためのディジタルデータを出力する。
【００１３】
この方法により、印刷イメージ画像に差分画像を合成した画像を生成するためのディジタルデータが出力されるため、印刷後のアナログ画像が変化した場合でも、その変化に柔軟に対応したディジタルデータを出力することができる。
【００１４】
本発明のアナログ画像再ディジタル化方法は、入力されたディジタルデータに前記ディジタルデータを識別するための識別データを付加して保持する保持工程と、前記識別データが付加されたディジタルデータの印刷媒体への印刷制御を行う印刷制御工程と、前記印刷制御によって前記印刷媒体に印刷されたアナログ画像のディジタル変換後のディジタル画像を取得する取得工程と、前記取得したディジタル画像に含まれる、前記識別データに対応するディジタル画像を検出する検出工程と、前記検出したディジタル画像を生成するための識別データが付加されているディジタルデータを特定する特定工程と、前記保持しているディジタルデータの中から、前記特定したディジタルデータを選択して取得する特定データ取得工程と、前記取得したディジタルデータを出力する出力工程とを具備する。
【００１５】
この方法により、印刷されたアナログ画像から、そのアナログ画像を印刷するのに用いたディジタルデータと同一のデータを出力させることができる。又、ディジタル画像に含まれる識別データに対応するディジタル画像の検出のみで、アナログ画像を印刷するのに用いたディジタルデータを特定して出力させることができる。このため、印刷されたアナログ画像の再ディジタル化を効率良く且つ高精度に行うことが可能となる。
【００１６】
又、本発明のアナログ画像再ディジタル化方法は、前記特定データ取得工程により取得したディジタルデータの印刷イメージ画像を生成する生成工程と、前記生成した印刷イメージ画像と前記取得工程によって取得したディジタル画像とを比較する比較工程と、前記比較の結果、両者が一致しない場合に、両者の差分画像を抽出する差分画像抽出工程と、前記印刷イメージ画像に前記抽出した差分画像を合成する合成工程とを具備し、前記出力工程では、前記合成工程で合成後の印刷イメージ画像を生成するためのディジタルデータを出力する。
【００１７】
この方法により、印刷イメージ画像に差分画像を合成した画像を生成するためのディジタルデータが出力されるため、印刷後のアナログ画像が変化した場合でも、その変化に柔軟に対応したディジタルデータを出力することができる。
【００１８】
本発明のアナログ画像再ディジタル化装置は、入力されたディジタルデータを保持する保持手段と、前記保持したディジタルデータの印刷媒体への印刷制御を行う印刷制御手段と、前記印刷制御によって前記印刷媒体に印刷されたアナログ画像のディジタル変換後のディジタル画像を取得する取得手段と、前記ディジタルデータの印刷イメージ画像を生成する生成手段と、前記生成した印刷イメージ画像と前記ディジタル画像とを比較する比較手段と、前記比較の結果、両者が一致した場合に、前記保持しているディジタルデータを出力する出力手段とを具備する。
【００１９】
この構成により、印刷されたアナログ画像から、そのアナログ画像を印刷するのに用いたディジタルデータと同一のデータを出力させることができる。このため、印刷されたアナログ画像の再ディジタル化を効率良く且つ高精度に行うことが可能となる。
【００２０】
又、本発明のアナログ画像再ディジタル化装置は、前記比較手段による比較の結果、両者が一致しない場合に、両者の差分画像を抽出する差分画像抽出手段と、前記印刷イメージ画像に前記抽出した差分画像を合成する合成手段とを具備し、前記出力手段は、前記合成手段による合成後の印刷イメージ画像を生成するためのディジタルデータを出力する。
【００２１】
この構成により、印刷イメージ画像に差分画像を合成した画像を生成するためのディジタルデータが出力されるため、印刷後のアナログ画像が変化した場合でも、その変化に柔軟に対応したディジタルデータを出力することができる。
【００２２】
本発明のアナログ画像再ディジタル化装置は、入力されたディジタルデータに前記ディジタルデータを識別するための識別データを付加して保持する保持手段と、前記識別データが付加されたディジタルデータの印刷媒体への印刷制御を行う印刷制御手段と、前記印刷制御によって前記印刷媒体に印刷されたアナログ画像のディジタル変換後のディジタル画像を取得する取得手段と、前記取得したディジタル画像に含まれる、前記識別データに対応するディジタル画像を検出する検出手段と、前記検出したディジタル画像を生成するための識別データが付加されているディジタルデータを特定する特定手段と、前記保持手段により保持しているディジタルデータの中から、前記特定したディジタルデータを選択して取得する特定データ取得手段と、前記特定データ取得手段により取得したディジタルデータを出力する出力手段とを具備する。
【００２３】
この構成により、印刷されたアナログ画像から、そのアナログ画像を印刷するのに用いたディジタルデータと同一のデータを出力させることができる。又、ディジタル画像に含まれる認識データに対応するディジタル画像の検出のみで、アナログ画像を印刷するのに用いたディジタルデータを出力させることができる。このため、印刷されたアナログ画像の再ディジタル化を効率良く且つ高精度に行うことが可能となる。
【００２４】
又、本発明のアナログ画像再ディジタル化装置は、前記特定データ取得手段により取得したディジタルデータの印刷イメージ画像を生成する生成手段と、前記生成した印刷イメージ画像と前記取得手段により取得したディジタル画像とを比較する比較手段と、前記比較の結果、両者が一致しない場合に、両者の差分画像を抽出する差分画像抽出手段と、前記印刷イメージ画像に前記抽出した差分画像を合成する合成手段とを具備し、前記出力手段は、前記合成手段による合成後の印刷イメージ画像を生成するためのディジタルデータを出力する。
【００２５】
この構成により、印刷イメージ画像に差分画像を合成した画像を生成するためのディジタルデータが出力されるため、印刷後のアナログ画像が変化した場合でも、その変化に柔軟に対応したディジタルデータを出力することができる。
【００２６】
【発明の実施の形態】
以下、本発明の実施形態について図面を参照して説明する。
（第一実施形態）
図１は、本発明の第一実施形態に係るアナログ文書再ディジタル化装置の構成図である。アナログ文書再ディジタル化装置１（アナログ画像再ディジタル化装置）は、ディジタル文書保持部１０１、印刷イメージ画像変換部１０２、印刷制御部１０３、ディジタル画像取得部１０４、比較部１０５、及び出力部１０６を備えて構成される。又、アナログ文書再ディジタル化装置１には、プリンタ２００及びスキャナ３００が接続されている。
【００２７】
ディジタル文書保持部１０１は、アナログ文書再ディジタル化装置１に入力されたディジタル文書を保持する。尚、ここで入力されるディジタル文書には、アナログ文書再ディジタル化装置１内で作成されたものや外部データベース等から取得したもの等が挙げられる。又、以下では、ここで保持したディジタル文書のことをオリジナルのディジタル文書と記載する。
【００２８】
印刷イメージ画像変換部１０２は、ディジタル文書保持部１０１に保持されているオリジナルのディジタル文書を印刷イメージ画像に変換し、変換後の印刷イメージ画像を印刷制御部１０３に入力する。又、比較部１０５からの要求により、ディジタル文書保持部１０１に保持されているオリジナルのディジタル文書の印刷イメージ画像を比較部１０５に出力する。
【００２９】
印刷制御部１０３は、印刷イメージ画像に基づく画像（アナログ文書）の印刷をプリンタに指示し、アナログ文書の印刷制御を行う。尚、ここで言う画像にはテキスト等も含む。
【００３０】
プリンタ２００は、印刷制御部１０３の制御によって、アナログ文書を紙やＯＨＰ用紙等の印刷媒体に印刷する。
【００３１】
スキャナ３００は、プリンタ２００で印刷されたアナログ文書を取り込み、ディジタル画像に変換する。
【００３２】
ディジタル画像取得部１０４は、スキャナ３００で変換されたディジタル画像を取得し、取得したディジタル画像を比較部１０５に入力する。
【００３３】
比較部１０５は、ディジタル文書保持部１０１に保持されているオリジナルのディジタル文書の印刷イメージ画像を印刷イメージ画像変換部１０２から取得し、取得した印刷イメージ画像とディジタル画像取得部１０４から入力されたディジタル画像とを比較し、その結果を出力部１０６に入力する。
【００３４】
出力部１０６は、比較部１０５から入力される比較結果に基づいて、オリジナルのディジタル文書を図示しないディスプレイ等に出力する。
【００３５】
図２は、本発明の第一実施形態に係るアナログ文書再ディジタル化装置の動作を説明するためのフローチャートである。
まず、アナログ文書再ディジタル化装置１は、ユーザにより入力されたディジタル文書を自装置に内蔵するＲＡＭ（Random Access Memory）等のメモリに保持する（Ｓ２０１）。その後、ユーザからの指示に基づいて、入力されたディジタル文書を印刷イメージ画像に変換し（Ｓ２０２）、変換した印刷イメージ画像に基づくアナログ文書をプリンタ２００に印刷させるよう制御する（Ｓ２０３）。この制御により、プリンタ２００は、印刷イメージ画像をアナログ文書として紙等の印刷媒体に印刷する。
【００３６】
このように印刷されたアナログ文書を再ディジタル化するために、ユーザによりスキャナ３００を使用してアナログ文書がディジタル画像に変換されると、アナログ文書再ディジタル化装置１は、スキャナ３００により変換されたディジタル画像を取得する（Ｓ２０４）。
【００３７】
その後、ディジタル文書保持部１０１に保持しているオリジナルのディジタル文書を印刷イメージ画像変換部１０２により印刷イメージ画像に変換し（Ｓ２０５）、その印刷イメージ画像と、ディジタル画像とを比較する（Ｓ２０６）。
【００３８】
比較の結果、両者が一致した場合（Ｓ２０７：ＹＥＳ）、アナログ文書再ディジタル化装置１は、ディジタル文書保持部１０１に保持されているオリジナルのディジタル文書を出力する（Ｓ２０８）。一方、両者が一致しない場合、アナログ文書再ディジタル化装置１は、その旨を示すエラー情報等を出力して、動作を終了する。
【００３９】
以上のように本実施形態によれば、紙等に印刷したアナログ文書をスキャナで読込んでディジタル画像に変換し、そのディジタル画像と、アナログ文書を印刷するのに用いたディジタル文書の印刷イメージ画像とを比較し、両者が一致した場合に、アナログ文書を印刷するのに用いたオリジナルのディジタル文書を出力する。
【００４０】
これにより、アナログ文書の再ディジタル化後のディジタル文書は、該アナログ文書を印刷する際に保持しているオリジナルのディジタル文書と同一のものとなっている。このため、アナログ文書を再ディジタル化する際に、再ディジタル化されたディジタル文書が劣化するという不具合を無くすことができる。したがって、アナログ文書の再ディジタル化を正確に行うことができる。
【００４１】
又、画像比較によって再ディジタル化を実現しているため、従来のように、ディジタル文書を手入力で行ったり、文字認識技術によりディジタル文書を再構成したりする場合に比べ、効率良く且つ高速に再ディジタル化することができる。
【００４２】
（第二実施形態）
本発明の第二実施形態に係るアナログ文書再ディジタル化装置は、第一実施形態で説明したアナログ文書再ディジタル化装置１の構成に、差分抽出部２０１と合成部２０２とを追加し、印刷されたアナログ文書が変更された場合にも柔軟に対応可能としたものである。
【００４３】
図３は、本発明の第二実施形態に係るアナログ文書再ディジタル化装置の構成図である。尚、図１と同様の構成には同一符号を付して説明を省略する。
差分抽出部２０１は、比較部１０５からの比較結果を受け、オリジナルのディジタル文書の印刷イメージ画像と、スキャナ３００から入力されたディジタル画像とが一致しない場合に、両者の差分画像を抽出して、合成部２０２に入力する。一方、両者が一致する場合は、入力された比較結果を合成部２０２を介して出力部１０６に伝達する。
【００４４】
合成部２０２は、印刷イメージ画像変換部１０２による変換後のオリジナルのディジタル文書の印刷イメージ画像に、差分抽出部２０１から入力された差分画像を合成して新たな印刷イメージ画像を作成し、作成した印刷イメージ画像をディジタル文書に変換し、変換したディジタル文書を出力部１０６を介して出力する。
【００４５】
図４は、本発明の第二実施形態に係るアナログ文書再ディジタル化装置の動作を説明するためのフローチャートである。尚、図２と同様のフローには同一符号を付して説明を省略する。
【００４６】
Ｓ２０７：ＮＯにおいて、オリジナルのディジタル文書の印刷イメージ画像と、スキャナ３００から入力されたディジタル画像とが一致しなかった場合、アナログ文書再ディジタル化装置２は、両者の差分画像を抽出し（Ｓ４０１）、オリジナルのディジタル文書の印刷イメージ画像に、上記抽出した差分画像を合成して（Ｓ４０２）新しい印刷イメージ画像を作成し（Ｓ４０３）、作成した印刷イメージ画像をディジタル文書に変換し、変換したディジタル文書を出力する（Ｓ４０４）。
【００４７】
以上のように本実施形態によれば、オリジナルのディジタル文書の印刷イメージ画像とスキャナ３００で変換したディジタル画像との差分画像を抽出し、抽出した差分画像を、オリジナルのディジタル文書の印刷イメージ画像に合成し、合成後の印刷イメージ画像をディジタル文書に変換して出力する。
【００４８】
これにより、例えば、紙等に印刷されたアナログ文書に何らかの文字等がユーザにより記入された場合でも、そのアナログ文書を再ディジタル化する際には、記入された文字を印刷するためのディジタルデータを含むディジタル文書を出力する。このため、印刷後のアナログ文書への変更を、再ディジタル化後のディジタル文書にも反映させることができる。
【００４９】
（第三実施形態）
本発明の第三実施形態に係るアナログ文書再ディジタル化装置は、第一実施形態で説明したアナログ文書再ディジタル化装置の構成に、識別データ付加部５０１と、識別データ検出部５０２と、ディジタル文書特定部５０３と、ディジタル文書取得部５０４とを追加し、オリジナルのディジタル文書の特定を容易にしたものである。
【００５０】
図５は、本発明の第三実施形態に係るアナログ文書再ディジタル化装置の構成図である。尚、図１と同様の構成には同一符号を付して説明を省略する。
識別データ付加部５０１は、ディジタル文書保持部１０１に保持されているディジタル文書を印刷する際に、そのディジタル文書に対して、ディジタル文書を識別するための識別データを付加してＲＡＭに保持する。ディジタル文書に対して識別データを付加する方法はいくつかあるが、例えば、ディジタル文書のヘッダ又はフッタ部分に複数の数字からなる数字データを付加するものとする。
【００５１】
尚、印刷イメージ画像変換部１０２、印刷制御部１０３、プリンタ２００、スキャナ３００、及びディジタル画像取得部１０６は、上記のように、ヘッダ部分に数字データが付加されたディジタル文書について、第一実施形態で説明した処理を行う。
【００５２】
識別データ検出部５０２は、ディジタル画像取得部１０６で取得されたディジタル画像に含まれるヘッダ部分の数字を検出して、ディジタル文書特定部５０３に通知する。
【００５３】
ディジタル文書特定部５０３は、上記通知により、該数字を生成するための数字情報がヘッダ部分に付加されているディジタル文書をディジタル文書保持部１０１に保持されているディジタル文書の中から特定する。尚、数字を生成するための数字情報の検出は、文字認識技術等により行う。
【００５４】
ディジタル文書取得部５０４は、ディジタル文書特定部５０３で特定されたディジタル文書をディジタル文書保持部１０１から取得する。
【００５５】
図６は、本発明の第三実施形態に係るアナログ文書再ディジタル化装置の動作を説明するためのフローチャートである。尚、図１と同様のフローには同一符号を付して説明を省略する。
【００５６】
アナログ文書再ディジタル化装置３は、Ｓ２０１においてディジタル文書を保持した後、保持したディジタル文書のヘッダ部分に数字データを付加し、数字データを付加したディジタル文書を再度保持する（Ｓ６０１）。
【００５７】
その後、アナログ文書再ディジタル化装置３は、Ｓ２０４でディジタル画像を取得すると、取得したディジタル画像に含まれている数字を検出し、検出した数字を基に、スキャナ３００により取り込んだアナログ文書のオリジナルのディジタル文書を特定し（Ｓ６０２）、特定したディジタル文書を取得し（Ｓ６０３）、取得したディジタル文書を出力する（Ｓ６０４）。
【００５８】
以上のように本実施形態によれば、スキャナから入力されるディジタル画像に含まれる識別データに基づいて、スキャナが取り込んだアナログ文書を印刷するのに用いたディジタル文書（アナログ文書のオリジナルのディジタル文書）を特定する。
【００５９】
このため、ディジタル文書保持部１０１に複数のディジタル文書が保持されている場合でも、識別データを付加しておくことにより、容易にアナログ画像のオリジナルのディジタル文書を特定することができる。
【００６０】
又、スキャナから入力されたディジタル画像の一部の画像を検出し、それに基づいてオリジナルのディジタル文書を出力させることができるため、第一又は第二実施形態に比べ、アナログ文書の再ディジタル化処理の負荷軽減及び高速化が可能となる。
【００６１】
（第四実施形態）
本発明の第四実施形態に係るアナログ文書再ディジタル化装置は、第三実施形態で説明したアナログ文書再ディジタル化装置の構成に、比較部７０１と、差分抽出部７０２と、合成部７０３とを追加し、印刷後のアナログ文書が変化した場合にも柔軟に対応可能としたものである。
【００６２】
図７は、本発明の第四実施形態に係るアナログ文書再ディジタル化装置の構成図である。尚、図５と同様の構成には同一符号を付して説明を省略する。
比較部７０１は、ディジタル文書取得部５０４で取得されたディジタル文書を印刷イメージ画像変換部１０２によって変換させ、該変換後の印刷イメージ画像を取得し、取得した印刷イメージ画像とディジタル画像取得部１０６で取得されたディジタル画像とを比較し、比較結果を差分抽出部７０２に入力する。
【００６３】
差分抽出部７０２は、入力された比較結果により、上記印刷イメージ画像と、上記ディジタル画像とが一致しなかった場合に、両者の差分画像を抽出して合成部７０３に入力する。
【００６４】
合成部７０３は、入力された差分画像を上記印刷イメージ画像に合成して新たな印刷イメージ画像を作成し、作成した印刷イメージ画像をディジタル文書に変換し、変換したディジタル文書を出力部１０６を介して出力させる。
【００６５】
図８は、本発明の第四実施形態に係るアナログ文書再ディジタル化装置の動作を説明するためのフローチャートである。尚、図６と同様のフローには同一符号を付して説明を省略する。
【００６６】
アナログ文書再ディジタル化装置４は、Ｓ６０３において取得したディジタル文書を印刷イメージ画像に変換し、その印刷イメージ画像とディジタル画像取得部１０４で取得したディジタル画像とを比較する（Ｓ８０１）。比較の結果、両者が一致している場合（Ｓ８０２：ＹＥＳ）、アナログ文書再ディジタル化装置４は、Ｓ６０３において取得したディジタル文書を出力する（Ｓ８０３）。
【００６７】
一方、両者が一致していない場合（Ｓ８０２：ＮＯ）、アナログ文書再ディジタル化装置４は、両者の差分画像を抽出し（Ｓ８０４）、抽出した差分画像を、Ｓ６０２で特定したディジタル文書の印刷イメージ画像に合成して（Ｓ８０５）新しい印刷イメージ画像を作成し（Ｓ８０６）、作成した印刷イメージ画像をディジタル文書に変換し、変換したディジタル文書を出力する（Ｓ８０７）。
【００６８】
以上のように本実施形態によれば、例えば、紙等に印刷されたアナログ文書に何らかの文字等がユーザにより記入された場合でも、そのアナログ文書を再ディジタル化する際には、記入された文字を印刷するためのディジタルデータが追加されたディジタル文書が出力される。このため、印刷されたアナログ文書への変更を、再ディジタル化後のディジタル文書にも反映させることができる。
【００６９】
尚、以上の第一実施形態〜第四実施形態では、ディジタル文書を印刷する手段としてプリンタ２００を用い、アナログ文書を取り込んでディジタル画像に変換する手段としてスキャナ３００を用いているが、これらの手段の少なくとも１つを、アナログ文書再ディジタル化装置の内部に備えた一体型の構成としても、上記と同様の効果を得ることができる。
【００７０】
【発明の効果】
本発明によれば、印刷されたアナログ画像を正確に再ディジタル化することが可能なアナログ画像再ディジタル化方法及びアナログ画像再ディジタル化装置を提供することができる。
【図面の簡単な説明】
【図１】本発明の第一実施形態に係るアナログ文書再ディジタル化装置の構成図である。
【図２】本発明の第一実施形態に係るアナログ文書再ディジタル化装置の動作を説明するためのフローチャートである。
【図３】本発明の第二実施形態に係るアナログ文書再ディジタル化装置の構成図である。
【図４】本発明の第二実施形態に係るアナログ文書再ディジタル化装置の動作を説明するためのフローチャートである。
【図５】本発明の第三実施形態に係るアナログ文書再ディジタル化装置の構成図である。
【図６】本発明の第三実施形態に係るアナログ文書再ディジタル化装置の動作を説明するためのフローチャートである。
【図７】本発明の第四実施形態に係るアナログ文書再ディジタル化装置の構成図である。
【図８】本発明の第四実施形態に係るアナログ文書再ディジタル化装置の動作を説明するためのフローチャートである。
【符号の説明】
１  アナログ文書再ディジタル化装置
１０１  ディジタル文書保持部
１０２  印刷イメージ変換部
１０３  印刷制御部
１０４  ディジタル変換部
１０５  比較部
１０６  出力部
２００  プリンタ
３００  スキャナ
【図１】
2004199263.tif 000003
【図２】
2004199263.tif 000004
【図３】
2004199263.tif 000005
【図４】
2004199263.tif 000006
【図５】
2004199263.tif 000007
【図６】
2004199263.tif 000008
【図７】
2004199263.tif 000009
【図８】
2004199263.tif 000010